(57)【要約】【課題】簡単な構造ながら、頭部床面を起こした際に腹部や腰部に負担をかけることを無くす。【解決手段】人体上半身を支持する頭部床面２と、人体腰部を支持する腰部床面３と、人体脚部を支持する脚部床面４とで床面が構成され、頭部床面２及びまたは脚部床面４が腰部床面３側の端部側を軸に回動自在となっている。腰部床面３は頭部床面２と脚部床面４とをつなぐ方向において屈曲自在に形成され、腰部床面３の頭部床面２側の端部と脚部床面４側の端部とを夫々支持している軸Ｂ，Ｃの間の距離が、頭部床面２または脚部床面４の回動により可変となっている。頭部床面２または脚部床面４が回動する時、屈曲自在である腰部床面３の両端を支持している軸Ｂ，Ｃ間距離が変化して腰部床面３が沈み込んで屈曲状態になることを許す。【選択図】  図１
2004222746.tif 000002
【特許請求の範囲】
【請求項１】
人体上半身を支持する頭部床面と、人体腰部を支持する腰部床面と、人体脚部を支持する脚部床面とで床面が構成され、頭部床面及びまたは脚部床面が腰部床面側の端部側を軸に回動自在となっているリクライニングベッドであり、腰部床面は頭部床面と脚部床面との間に位置するとともに頭部床面と脚部床面とをつなぐ方向において屈曲自在に形成され、腰部床面の頭部床面側の端部と脚部床面側の端部とを夫々支持している軸の間の距離が、頭部床面または脚部床面の回動により可変となっていることを特徴とするリクライニングベッド。
【請求項２】
腰部床面は複数の剛性を有する部材が順次回動自在に連結されて屈曲自在となっていることを特徴とする請求項１記載のリクライニングベッド。
【請求項３】
頭部床面または脚部床面の回動の軸の位置と、頭部床面または脚部床面と腰部床面とを回動自在に連結している軸の位置とがずらされていることを特徴とする請求項１または２記載のリクライニングベッド。
【請求項４】
頭部床面及びまたは脚部床面を電動回動させる駆動機構を備えるとともに、該駆動機構は腰部床面を押し上げる押し上げ部を備えていることを特徴とする請求項１〜３のいずれかの項に記載のリクライニングベッド。
【請求項５】
押し上げ部は頭部床面及びまたは脚部床面を押し上げるアームを備えた回動軸に設けられて、アームと一体に回転する押し上げ部における水平状態の腰部床面との接触位置が、上記回動軸よりもアーム寄りに位置していることを特徴とする請求項４記載のリクライニングベッド。
【請求項６】
腰部床面を押し上げる第２押し上げ部を備えるとともに第２押し上げ部と押し上げ部とがリンクで連結されていることを特徴とする請求項４記載のリクライニングベッド。
【発明の詳細な説明】
【０００１】
【発明の属する技術分野】
本発明は頭部床面をリクライニングさせることができるリクライニングベッドに関するものである。
【０００２】
【従来の技術】
頭部床面を水平状態から起こしたり、脚側床面を水平状態から下げたりすることができるリクライニングベッドには各種のものが提供されている。
【０００３】
しかし頭部床面を単に起こすだけでは、それまで寝ていた人は腹部が圧迫されてしまうことになり、無理な体勢が強いられるために長時間の使用では苦痛が生じてしまう。
【０００４】
この点を防ぐものとして、特開２０００−１６６９８３号公報（特許文献１）には、頭部床面を起こすにつれて頭部床面が頭側上方へと移動するようにしたものが提案されている。人体にとっては、寝ていた状態から頭部床面が起きあがる時、頭部床面とともに少し上方に引き上げられることになるために、腹部の圧迫を無くすことができる。
【０００５】
【特許文献１】
特開２０００−１６６９８３号公報
【０００６】
【発明が解決しようとする課題】
しかし、上記公報に記載のものでは、頭部床面をずらすためにその機構が複雑であり、しかも頭部床面を起こした状態を長時間保持すれば、人体は滑り落ちて結局は腹部を圧迫することになる上に腰部には無理な体勢を強いることになるために腰部に負担を与えてしまう。
【０００７】
本発明はこのような点に鑑みなされたものであって、その目的とするところは簡単な構造ながら、頭部床面を起こした際に腹部や腰部に負担をかけることを無くすことができるリクライニングベッドを提供するにある。
【０００８】
【課題を解決するための手段】
しかして本発明は、人体上半身を支持する頭部床面と、人体腰部を支持する腰部床面と、人体脚部を支持する脚部床面とで床面が構成され、頭部床面及びまたは脚部床面が腰部床面側の端部側を軸に回動自在となっているリクライニングベッドであり、腰部床面は頭部床面と脚部床面との間に位置するとともに頭部床面と脚部床面とをつなぐ方向において屈曲自在に形成され、腰部床面の頭部床面側の端部と脚部床面側の端部とを夫々支持している軸の間の距離が、頭部床面または脚部床面の回動により可変となっていることに特徴を有している。頭部床面または脚部床面が回動する時、屈曲自在である腰部床面の両端を支持している軸間距離が変化して腰部床面が沈み込んで屈曲状態になることを許すものである。
【０００９】
上記の腰部床面は複数の剛性を有する部材が順次回動自在に連結されて屈曲自在となっているものを好適に用いることができる。
【００１０】
また、頭部床面または脚部床面の回動の軸の位置と、頭部床面または脚部床面と腰部床面とを回動自在に連結している軸の位置とがずらされているものを好適に用いることができる。
【００１１】
頭部床面及びまたは脚部床面を電動回動させる駆動機構を備えるとともに、該駆動機構は腰部床面を押し上げる押し上げ部を備えているものであってもよい。
【００１２】
押し上げ部は頭部床面及びまたは脚部床面を押し上げるアームを備えた回動軸に設けられて、アームと一体に回転する押し上げ部における水平状態の腰部床面との接触位置が、上記回動軸よりもアーム寄りに位置しているものであってもよく、また、腰部床面を押し上げる第２押し上げ部を備えるとともに第２押し上げ部と押し上げ部とがリンクで連結されているものであってもよい。
【００１３】
【発明の実施の形態】
以下本発明を実施の形態の一例に基づいて詳述すると、このリクライニングベッドは、支持フレーム１と頭部床面２と腰部床面３と脚部床面４、そして頭部床面２と脚部床面４とを駆動する駆動機構５とで構成されるもので、左右一対の支持フレーム１，１は、上記駆動機構５における２本の回動軸５０，５０の内部に夫々挿通されている連結軸１５（図７参照）によって連結されている。図中８はサイドボックスであり、左右の支持フレーム１のいずれかにアーム８０を介してボルト止めで装着されるサイドボックス８には、屈曲自在なライトアーム８２の先端に照明具８１が設けられている。また、取り外し可能な蓋８３で覆われる内部収納スペースには、図１１に示す操作器９を収納することができるようになっている。
【００１４】
頭部床面２は左右の側板２０，２０とこれらを繋ぐ横桟２１，２１、そして横桟２１，２１間に架設された縦桟２２，２２で構成されたものであり、腰部床面３側の一端が支持フレーム１から立ち上がる支持棒１２の上端に回動自在に連結されている。脚部床面４も同様に左右の側板４０，４０とこれらを繋ぐ横桟４１，４１、そして横桟４１，４１間に架設された縦桟４２，４２で構成されたものであり、腰部床面３側の一端が支持フレーム１から立ち上がる支持棒１３の上端に回動自在に連結されている。
【００１５】
腰部床面３は剛性を有する複数の側板３１，３２，３３，３４を順次回動自在に連結した屈曲自在なものとして構成されており、頭部床面２側の一端が頭部床面２の側板２０端部に回動自在に連結され、脚部床面４側の一端が上記支持棒１２の上端に回動自在に連結されている。また、左右の側板３２，３２間には横桟３５が架設固定されており、横桟３５には頭部床面２側に延びるバー３６が固定されている。このバー３６は、頭部床面２及び腰部床面３を水平状態とした時、頭部床面２の横桟２１の下面に先端が当接して、頭部床面２が下がってしまうことを防ぐものともなっている。
【００１６】
なお、これら床面２，３，４の上記構成は、そのフレーム構造のみを示しており、実際には各側板に図８に示すクッションゴム７が取り付けられるとともに、図９に示すように左右のクッションゴム７，７間にウッドスプリング７０が架け渡されて床面が構成されている。なお、屈曲自在としている腰部床面３に関しては、図１２に示すように、布７３を張り渡したワイヤ７２，７２の両端を腰部床面３の両端に止めたものとして形成してもよい。
【００１７】
駆動機構５は上記２本の回動軸５０，５０と、この回動軸５０，５０を個別に回動させることができる駆動ユニット６とからなるもので、頭部床面２側に位置する回動軸５０には図６に示すように左右一対のアーム５１，５１と、支持アーム５２と、受け片５３とが固定されている。前記連結軸１５外周にスリーブ１６を介して配されている回動軸５０は、その軸回りの回転が自在なものである。また、脚部床面３側に位置する回動軸５０は、左右一対のアーム５１，５１と受け片５３とが固定されたものであり、同様に軸回りの回転が自在となっている。
【００１８】
駆動機構５における駆動ユニット６は、上記２本の回動軸５０，５０で吊り下げ支持されたものであるとともに、２つのモータで個別に軸方向駆動されるスライダー（図示せず）を備えたもので、各スライダーが上記２本の回動軸５０，５０の受け片５３，５３に係合している。このためにモータ駆動でスライダーを動かせば、受け片５３が固定された回動軸５０は軸回りの回転を行う。
【００１９】
この時、頭部床面２側の回動軸５０に設けられた一対のアーム５１，５１はその先端のローラ５７を前記縦桟２２，２２の下面に接触させており、支持アーム５２はその先端のローラ５７を前記バー３６を当接させている。また、脚部床面４側の回動軸５０に設けられた一対のアーム５１，５１はその先端のローラ５７を前記縦桟４２，４２の下面に接触させている。
【００２０】
従って、頭部床面２側の回動軸５０をアーム５１先端が上方に移動するように回転させた時には、アーム５１で押し上げられて頭部床面２は起きあがる。脚部床面４側の回動軸５０をアーム５１が下方に移動するように回転さえた時には、アーム５１で支えられている脚部床面４は支持棒１３との連結点を軸に回転して下がる。図４中の２９，３９は夫々アーム５１のローラ５７の床面２，４に対する可動範囲を制限しているストッパーである。
【００２１】
ここにおいて、脚部床面４と支持棒１３とを連結している軸Ｃによって支持棒１３と腰部床面３の側板３４との連結もなされているのに対して、腰部床面３の側板３０は、前述のように、支持棒１２ではなく、頭部床面２の側板２０端部に軸Ｂで連結されているとともに、この軸Ｂは、頭部床面２と支持棒１２とを連結している軸Ａよりも上方に配設されている。
【００２２】
このために、頭部床面２が水平状態を保つ時、複数の側板３１〜３４を順次回動自在に連結したものとして構成した腰部床面３も水平を保つようにしている状態から、頭部床面２を起きあがらせたならば、上記軸Ｂは軸Ａの回りに回転して軸Ｂ，Ｃ間の距離が短くなるために、腰部床面３がその自重で撓むことを許すものであり、軸Ｂの位置が低くなることもあって、頭部床面２を起こした際には屈曲自在となっている腰部床面３は図１に示すように沈み込むとともに、この沈み込みによる屈曲形状は、腰部床面３にかかる人体荷重の分布に応じたものとなる。このような腰部床面３の沈み込み及び屈曲は人体の腹部や腰部の負担を少なくする。
【００２３】
なお、回動軸５０に固定した支持アーム５１は、頭部床面２を水平に戻す時、腰部床面３を押し上げて要部床面３が水平に戻ることを補助するものであるが、腰部床面３にかかる荷重は支持アーム５１と回動軸５０とを介してアーム５１が頭部床面２を押し上げる力として働くことになる。図１３はこの点に配慮したもので、支持アーム５１とバー３６との接触点が、頭部床面２を水平に戻した時、回動軸５０よりも頭部床面２側に位置するようにしたものである。
【００２４】
図１４及び図１５に別の例を示す。これは複数の側板３１〜３４を順次回動自在に連結することで屈曲自在としている腰部床面３を屈曲状態から水平状態に戻す時、支持アーム５２に加えて、第２支持アーム５８も腰部床面３の押し上げに寄与するようにしたものであり、支持フレーム１，１間に架設したクランク状の第２支持アーム５８と支持アーム５２とをリンク５９で連結して支持アーム５２が起きあがって腰部床面３の頭部床面２寄りの部分を押し上げる時、第２支持アーム５８も起きあがって腰部床面３の脚部部床面４寄りの部分を押し上げる。
【００２５】
なお、頭部床面２を起こすことで腰部床面３が沈み込むものを示したが、脚部床面４を下げると腰部床面３が沈み込むようにしてもよい。これは支持棒１３と脚部床面４とを連結する軸よりも、脚部床面４と腰部床面３とを連結する軸を下方にずらして配置することで実現することができる。
【００２６】
【発明の効果】
以上のように本発明においては、人体上半身を支持する頭部床面と、人体腰部を支持する腰部床面と、人体脚部を支持する脚部床面とで床面が構成され、頭部床面及びまたは脚部床面が腰部床面側の端部側を軸に回動自在となっているリクライニングベッドであり、腰部床面は頭部床面と脚部床面との間に位置するとともに頭部床面と脚部床面とをつなぐ方向において屈曲自在に形成され、腰部床面の頭部床面側の端部と脚部床面側の端部とを夫々支持している軸の間の距離が、頭部床面または脚部床面の回動により可変となっていることに特徴を有している。頭部床面または脚部床面が回動する時、屈曲自在である腰部床面の両端を支持している軸間距離が変化して腰部床面が沈み込んで屈曲状態になることを許すものであり、このような腰部床面の形状変化により、腹部や腰部にかかる負担を少なくすることができる。しかも頭部床面をその回動と同時にずらしたりする必要がなく、簡単な機構で実現することができる。
【００２７】
上記の腰部床面は複数の剛性を有する部材が順次回動自在に連結されて屈曲自在となっているものが、ベッド全体の剛性の確保の点で好ましい。
【００２８】
また、頭部床面または脚部床面の回動の軸の位置と、頭部床面または脚部床面と腰部床面とを回動自在に連結している軸の位置とがずらされているものが、機構的にもっと簡単で安価に提供することができる。
【００２９】
頭部床面及びまたは脚部床面を電動回動させる駆動機構を備えるとともに、該駆動機構は腰部床面を押し上げる押し上げ部を備えているものであってもよい。屈曲自在となっている腰部床面を水平状態に保持することを確実に行うことができる。
【００３０】
押し上げ部は頭部床面及びまたは脚部床面を押し上げるアームを備えた回動軸に設けられて、アームと一体に回転する押し上げ部における水平状態の腰部床面との接触位置が、上記回動軸よりもアーム寄りに位置しているものであってもよい。この場合、腰部床面を介して押し上げ部にかかる荷重が原因でアームが回転して頭部床面及びまたは脚部床面を水平位置からずらしてしまうことを無くすことができる。
【００３１】
また、腰部床面を押し上げる第２押し上げ部を備えるとともに第２押し上げ部と押し上げ部とがリンクで連結されているものであってもよい。腰部床面を水平状態に保つことがより確実となる。
【図面の簡単な説明】
【図１】本発明の実施の形態の一例を示すもので、（ａ）は側面図、（ｂ）は要部側面図である。
【図２】同上の斜視図である。
【図３】同上の平面図である。
【図４】同上の側面図である。
【図５】同上の端面図である。
【図６】同上の回動軸の斜視図である。
【図７】同上の回動軸の部分断面図である。
【図８】同上のクッションゴムの斜視図である。
【図９】同上のクッションゴム及びウッドスプリング装着時の平面図である。
【図１０】同上のサイドアームの斜視図である。
【図１１】同上の操作器の正面図である。
【図１２】他例の斜視図である。
【図１３】更に他例の側面図である。
【図１４】別の例を示すもので、（ａ）は平面図、（ｂ）は第２支持アームの斜視図である。
【図１５】（ａ）（ｂ）は同上の側面図である。
【符号の説明】
２  頭部床面
３  腰部床面
４  脚部床面
Ｂ  軸
Ｃ  軸
【図１】
2004222746.tif 000003
【図２】
2004222746.tif 000004
【図３】
2004222746.tif 000005
【図４】
2004222746.tif 000006
【図５】
2004222746.tif 000007
【図６】
2004222746.tif 000008
【図７】
2004222746.tif 000009
【図８】
2004222746.tif 000010
【図９】
2004222746.tif 000011
【図１０】
2004222746.tif 000012
【図１１】
2004222746.tif 000013
【図１２】
2004222746.tif 000014
【図１３】
2004222746.tif 000015
【図１４】
2004222746.tif 000016
【図１５】
2004222746.tif 000017